(57)【要約】  【課題】  部屋の広さに対して実際に温度調節を行う部屋が狭い場合にも、運転能力が過剰にならないように制御し、圧縮機を頻繁に再起動、再停止させることなく省エネ効果を改善することができる空気調和機を提供する。【解決手段】  運転開始から圧縮機の減速が開始されるまでの実測時間が運転条件に応じて予め設定された基準減速時間よりも短い場合と、圧縮機が再起動した場合に、部屋の広さに応じて予め設定された運転能力を１段階下げる。また、運転毎に圧縮機の減速が開始されるまでの実測時間と運転条件に応じて、最後に指示した運転能力の実績データを蓄積し、実測時間に対応する実績データが存在する場合にはその運転能力へと変更する。【選択図】図７
2014196860.tif 000002
【特許請求の範囲】
【請求項１】
室内機と室外機を備え、設定温度と室温から圧縮機の回転数を加減速することができる空気調和機であって、前記室外機は、外気温を検出する外気温検出部と、前記室内機との通信を行う室外機通信部と、前記圧縮機を前記室内機から指示された回転数で回転させる圧縮機駆動部と、これらを制御する室外機制御部とを備え、前記室内機は、室温を検出する室温検出部と、前記室外機との通信を行う通信部と、時間を計時する計時部と、運転開始から前記圧縮機が減速を開始するまでの基準時間が設定された基準減速時間テーブルと
、前記圧縮機駆動部へ指示する回転数をコードで示した基準回転数コードが部屋の広さに応じて段階的に設定された運転能力切替えテーブルとを記憶する記憶部と、これらを制御する制御部とを備え、前記制御部は、運転を開始した時、前記計時部へ運転開始から前記圧縮機が減速を開始するまでの減速時間の計時を指示し、前記圧縮機が減速を開始した時、前記基準減速時間テーブルから前記基準減速時間を参照し、参照した前記基準減速時間と前記計時部で計時した減速時間とを比較し、計時した減速時間が前記基準減速時間よりも短い場合、部屋の広さに対して運転能力が過剰と判定し、前記運転能力切替えテーブルから、部屋の広さを１段階狭くした前記基準回転数コードを参照し、その基準回転数コードを前記室外機へ指示することを特徴とする空気調和機。
【請求項２】
前記制御部は、前記圧縮機が予め定めた所定時間内に再起動した時、部屋の広さに対して運転能力が過剰と判定し、前記運転能力切替えテーブルから現在の部屋の広さを１段階狭くした前記基準回転数コードを参照し、その基準回転数コードを前記室外機へ指示することを特徴とする、請求項１に記載の空気調和機。
【請求項３】
室内機と室外機を備え、設定温度と室温から圧縮機の回転数を加減速することができる空気調和機であって、前記室外機は、外気温を検出する外気温検出部と、前記室内機との通信を行う室外機通信部と、前記圧縮機を前記室内機から指示された回転数で回転させる圧縮機駆動部と、これらを制御する室外機制御部とを備え、前記室内機は、室温を検出する室温検出部と、前記室外機との通信を行う通信部と、時間を計時する計時部と、前記圧縮機駆動部へ指示する回転数をコードで示した基準回転数コードが部屋の広さに応じて段階的に設定された運転能力切替えテーブルと、運転を停止する度に、停止前の運転において前記計時部で計時した運転開始から前記圧縮機が減速を開始するまでの減速時間と、停止前の運転において前記室外機へ最後に指示していた前記基準回転数コードを累積した減速時間別運転能力実績データとを記憶する記憶部と、これらを制御する制御部とを備え、前記制御部は、運転を開始した時、前記計時部へ運転開始から前記圧縮機が減速を開始するまでの減速時間の計時を指示し、前記圧縮機が減速を開始した時、計時した前記圧縮機の減速時間に対応する前記記憶部の前記減速時間別運転能力実績データを参照し、前記基準回転数コードを累積した数値データが記憶されている場合、その数値データを現在の部屋の広さに対して適切な運転能力の前記基準回転数コードとして、その前記基準回転数コードを前記室外機へ指示することを特徴とする空気調和機。
【発明の詳細な説明】
【技術分野】
【０００１】
本発明は、部屋の広さに応じて安定した室温に制御することができる空気調和機に関する。
【背景技術】
【０００２】
空気調和機は、設置する部屋の広さに適した冷暖房能力、例えば８畳用、２０畳用など
、の装置を使用することが一般的である。これは空気調和機が冷暖房能力に合致した部屋の広さで使用された時に、最も快適性や省エネ効果が得られるように設計されているためである。
【０００３】
ところが、空気調和機の利用者の住居にはさまざまな間取りがあり、二間続きの部屋の一方の部屋には空気調和機を設置することが困難な場合も少なくない。このような部屋に空気調和機を設置する場合、利用者は設置が容易な一方の部屋に、二間を合わせた広さに対応することができる冷暖房能力の空気調和機を設置し、部屋の利用方法によっては、二間を分割する間仕切りを閉じて空気調和機を設置した一方の部屋だけを冷暖房する場合がある。
【０００４】
このような利用方法の場合、室温を制御する部屋の広さに対して冷暖房能力が過剰となり、例えば２０畳用の冷暖房能力の空気調和機で実質８畳の部屋を冷暖房するような場合には、２０畳用に設計された空気調和機では室温を急速に設定温度へと到達させることが出来ても、圧縮機が頻繁に再起動、再停止を繰り返す運転となる場合があり、省エネ効果の低下を招いていた。
【０００５】
このような背景から、利用者がリモコンで設定した部屋の広さに応じて、室外機の最大電流や室内機ファンの回転数を可変して運転することができる空気調和機が提案されている。（例えば、特許文献１参照）。
【先行技術文献】
【特許文献】
【０００６】
【特許文献１】特開平６−６６４４４号公報（第２〜４頁、図１）
【発明の概要】
【発明が解決しようとする課題】
【０００７】
特許文献１の空気調和機は、二間を分割する間仕切りの開閉などで室温を制御する部屋の広さが変わる時、利用者がリモコンから部屋の広さ（畳数）を設定することによって、室温の制御を安定化するものである。しかしながら部屋の広さの設定操作を利用者に委ねているため、利用者の設定忘れや、設定を行った利用者の意図に反して他の利用者が間仕切りの開閉などで室温を制御する部屋の広さを変えることが想定され、設定した部屋の広さに対して実際に温度調節を行う部屋が狭い場合には、運転能力が過剰となり省エネ効果の悪化を招くという問題があった。
【０００８】
本発明は以上述べた問題点を解決し、利用者に部屋の広さの設定操作を委ねることなく
、空気調和機が自らの運転状況から部屋の広さを推定することで、間仕切りの開閉などで部屋の広さが変化しても、運転能力が過剰にならないように制御し、圧縮機を頻繁に再起動、再停止させることなく省エネ効果を改善することができる空気調和機を提供することを目的とする。
【課題を解決するための手段】
【０００９】
本発明は上述の課題を解決するため、本発明の請求項１に記載の発明は、室内機と室外機を備え、設定温度と室温から圧縮機の回転数を加減速することができる空気調和機であって、前記室外機は、外気温を検出する外気温検出部と、前記室内機との通信を行う室外機通信部と、前記圧縮機を前記室内機から指示された回転数で回転させる圧縮機駆動部と
、これらを制御する室外機制御部とを備え、前記室内機は、室温を検出する室温検出部と
、前記室外機との通信を行う通信部と、時間を計時する計時部と、運転開始から前記圧縮機が減速を開始するまでの基準時間が設定された基準減速時間テーブルと、前記圧縮機駆動部へ指示する回転数をコードで示した基準回転数コードが部屋の広さに応じて段階的に設定された運転能力切替えテーブルとを記憶する記憶部と、これらを制御する制御部とを備え、前記制御部は、運転を開始した時、前記計時部へ運転開始から前記圧縮機が減速を開始するまでの減速時間の計時を指示し、前記圧縮機が減速を開始した時、前記基準減速時間テーブルから前記基準減速時間を参照し、参照した前記基準減速時間と前記計時部で計時した減速時間とを比較し、計時した減速時間が前記基準減速時間よりも短い場合、部屋の広さに対して運転能力が過剰と判定し、前記運転能力切替えテーブルから、部屋の広さを１段階狭くした前記基準回転数コードを参照し、その基準回転数コードを前記室外機へ指示することを特徴とする。
【００１０】
また、本発明の請求項２に記載の発明は、前記制御部は、前記圧縮機が予め定めた所定時間内に再起動した時、部屋の広さに対して運転能力が過剰と判定し、前記運転能力切替えテーブルから現在の部屋の広さを１段階狭くした前記基準回転数コードを参照し、その基準回転数コードを前記室外機へ指示することを特徴とする。
【００１１】
また、本発明の請求項３に記載の発明は、室内機と室外機を備え、設定温度と室温から圧縮機の回転数を加減速することができる空気調和機であって、前記室外機は、外気温を検出する外気温検出部と、前記室内機との通信を行う室外機通信部と、前記圧縮機を前記室内機から指示された回転数で回転させる圧縮機駆動部と、これらを制御する室外機制御部とを備え、前記室内機は、室温を検出する室温検出部と、前記室外機との通信を行う通信部と、時間を計時する計時部と、前記圧縮機駆動部へ指示する回転数をコードで示した基準回転数コードが部屋の広さに応じて段階的に設定された運転能力切替えテーブルと、運転を停止する度に、停止前の運転において前記計時部で計時した運転開始から前記圧縮機が減速を開始するまでの減速時間と、停止前の運転において前記室外機へ最後に指示していた前記基準回転数コードを累積した減速時間別運転能力実績データとを記憶する記憶部と、これらを制御する制御部とを備え、前記制御部は、運転を開始した時、前記計時部へ運転開始から前記圧縮機が減速を開始するまでの減速時間の計時を指示し、前記圧縮機が減速を開始した時、計時した前記圧縮機の減速時間に対応する前記記憶部の前記減速時間別運転能力実績データを参照し、前記基準回転数コードを累積した数値データが記憶されている場合、その数値データを現在の部屋の広さに対して適切な運転能力の前記基準回転数コードとして、その前記基準回転数コードを前記室外機へ指示することを特徴とする
。
【発明の効果】
【００１２】
以上の手段を用いることにより、本発明による空気調和機によれば、間仕切りの開閉などにより、空気調和機の冷暖房能力が過剰となる部屋の広さに変化しても、利用者に部屋の広さの設定操作を委ねることなく運転能力が過剰となっている状態を判定し、圧縮機を頻繁に再起動、再停止させないように制御することで省エネ効果を改善することができる
。また、運転毎の実測データを蓄積し活用することで、より素早く圧縮機を再起動、再停止させない制御を開始することができる。
【図面の簡単な説明】
【００１３】
【図１】本発明による空気調和機を示すブロック図である。
【図２】暖房能力が異なる空気調和機を同じ広さの部屋で運転した場合の室温変化の一例を示すグラフである。
【図３】本発明による圧縮機の基準減速時間テーブルを説明する説明図である。
【図４】本発明による圧縮機回転数テーブルを説明する説明図である。
【図５】本発明による運転能力切替えテーブルを説明する説明図である。
【図６】本発明による減速時間別運転能力実績データを説明する説明図である。
【図７】本発明による運転能力切替え処理の一例を示すフローチャートである。
【発明を実施するための形態】
【００１４】
以下、本発明の実施の形態を、添付図面に基づいた実施例として詳細に説明する。なお
、本発明は以下の実施形態に限定されることなく、本発明の主旨を逸脱しない範囲で種々変形することが可能である。
【００１５】
図１は、本発明による空気調和機を示すブロック図である。図１において空気調和機１は、冷暖房を行う部屋に設置される室内機１０と、屋外に設置される室外機２０と、利用者が空気調和機１の操作に使用する図示しないリモコンとで構成される。
【００１６】
室内機１０は、リモコンとの通信を行うリモコン通信部１１と、室外機２０に通信線３０で接続され室外機２０との通信を行う通信部１２と、室内機１０が設置された部屋の室温を検出する室温検出部１３と、時間を計時する計時部１４と、運転に関する各種データを記憶する記憶部１５と、ファンモーターを回転させるファンモーター駆動部１６と、これらを制御する制御部１７とを備えている。
【００１７】
室外機２０は、室外機２０が設置された屋外の気温を検出する外気温検出部２１と、室内機１０に通信線３０で接続され室内機１０との通信を行う室外機通信部２２と、圧縮機を回転させる圧縮機駆動部２３と、室外機２０の運転に関する各種データを記憶する室外機記憶部２４と、これらを制御する室外機制御部２５とを備えている。
【００１８】
図２は、暖房能力が異なる空気調和機を同じ広さの部屋で運転した場合の室温変化の一例を示すグラフである。図２は縦軸に室温、横軸に運転時間を示し、実線の曲線Ａは、８畳用の暖房能力の空気調和機を８畳の部屋で室温が設定温度Ｔｓとなる様に暖房運転した時の室温の変化を示している。また、破線の曲線Ｂは、２０畳用の暖房能力の空気調和機を８畳の部屋で室温が設定温度Ｔｓとなる様に暖房運転した時の室温の変化を示している
。
【００１９】
空気調和機は利用者が希望する設定温度Ｔｓと運転開始時の室温との温度差が大きい場合、室温を設定温度Ｔｓに短時間で近づけるために、最大運転能力で暖房運転を開始する
。次に室温の変化を監視しながら室温が設定温度Ｔｓに近づいたＰ点から、室温が設定温度Ｔｓを大きく超えないように圧縮機の回転数を減速して室温の上昇速度を遅らせる。以降は室温の変化に応じて圧縮機の回転数を可変する制御が行われるが、さらに室温が上昇し設定温度Ｔｓからの室温差で予め設定された温度Ｔｓ＋よりも上昇した場合には圧縮機を停止する。そして、圧縮機の停止後に室温が徐々に低下し、設定温度Ｔｓからの室温差で予め設定されたＴｓ−よりも室温が低下した場合には圧縮機を再起動する。
【００２０】
図２の曲線Ｂの温度変化が示すように、部屋の広さに対して暖房能力が過剰な状態の曲線Ｂは、Ｐ点から圧縮機の回転数を段階的に下げても十分に室温の上昇速度を減速することができず、短時間で設定温度Ｔｓを超えた室温に達し、さらに室温が温度Ｔｓ＋を超えた時に圧縮機を停止させる。また、圧縮機を停止させた後、室温がＴｓ−よりも低下した際に圧縮機を再起動させるが、この際にも室温の上昇速度を減速することができず、短時間で設定温度Ｔｓを大きく超えた室温に達し、再び室温が温度Ｔｓ＋を超えた時に圧縮機を再停止させる。このように設定温度Ｔｓを大きく超えたハンチング現象が繰り返され、室温を設定温度Ｔｓ付近で安定させる運転を行うことができない。
【００２１】
次に、曲線Ａを空気調和機の暖房能力と部屋の広さが合致している場合の室温変化の基準として、曲線Ｂとの比較によって部屋の広さに対して暖房能力が過剰な状態の時に見られる室温の変化時間の特性について説明する。運転開始後の特性として、運転開始から圧縮機が減速を開始するＰ点まで到達時間の違いがあり、曲線ＢのＰ点までの到達時間はＴ１であり、Ｔ１は曲線ＡのＰ点までの到達時間Ｔ１ｔｙｐよりも短くなる。また、曲線Ａは狭い部屋に合致した暖房能力で運転しているため、圧縮機の起動や停止を行わずに運転時間の経過と共に徐々に室温の変化量が減少していく。
【００２２】
本発明の空気調和機は図２で説明した室温の変化時間の特性を利用し、運転開始から圧縮機の減速が開始されるまでを計時した時間と、予め記憶された暖房能力と部屋の広さが合致している場合に運転開始から圧縮機の減速が開始されるまでの時間である基準減速時間とを比較して、部屋の広さに対して暖房能力が過剰であるか否かを判定する。また、運転開始から予め定めた所定時間内（例えば、１時間など）に圧縮機が再起動した場合にも暖房能力が過剰と判定する。なお、図２では暖房運転を例に説明したが、冷房運転においても同様の判定を行う。
【００２３】
図３は、本発明による圧縮機の基準減速時間テーブルを説明する説明図である。この圧縮機の基準減速時間テーブルは、室内機１０の記憶部１５に予め記憶され、計時部１４によって計時された、運転開始から圧縮機が減速を開始するまでの時間との比較に利用される。なお、図３は、暖房運転時の圧縮機の基準減速時間を示すテーブルである。
【００２４】
図３の縦軸は、設定温度と運転開始時の室温との温度差を温度差帯に分割したものであり、温度差が１℃〜５℃までを１つの温度差帯とし、５℃を超える温度差についても６℃〜１０℃というように５℃間隔で分割している。横軸は、運転開始時の外気温を外気温帯に分割したものであり、外気温０℃以下と、２６℃以上と、１℃〜２５℃までを５℃間隔で分割している。そして、縦軸の設定温度と室温の温度差帯と横軸の外気温帯に対応する基準時間（単位：分）がそれぞれ設定されている。ここで、運転開始時の設定温度が２０℃、室温が１２℃、外気温が４℃、の場合には、縦軸が６℃〜１０℃の温度差帯、横軸が１℃〜５℃の外気温帯に該当するため基準減速時間は点線の囲いで示した２０分となる
。そして基準減速時間と計時した減速時間とを比較し、計時した減速時間が基準減速時間の２０分よりも短い場合に部屋の広さに対して暖房能力が過剰と判定する。
【００２５】
なお、図３は暖房運転時の基準時間を示すテーブルであるが、同様に冷房運転時の基準減速時間を示すテーブルも室内機１０の記憶部１５に予め記憶され、冷房能力の過剰を判定するために用いられる。また、図３の縦軸に示す設定温度と室温の温度差帯と、横軸に示す外気温帯の各項目については分割方法をこれに限定するものではない。また、各項目に対応する基準時間の値についてもこれに限定するものではない。さらに各基準時間は減速時間との比較に用いる際、空気調和機１の設置環境による誤差を考慮して例えば、±１（分）など、に補正してもよい。
【００２６】
図４は、本発明による圧縮機回転数テーブルを説明する説明図である。この圧縮機回転数テーブルは、室外機２０の室外機記憶部２４に予め記憶され、圧縮機の回転数を可変する時、室外機制御部２５によって利用されるものである。図４の左側から０から３０に分割されたコードと、その右側にはコードに対応する圧縮機の回転数（単位：ｒｐｓ）が設定されており、コード“０”が圧縮機の停止を示す回転数“０ｒｐｓ”、コード“３０”が圧縮機の最大回転数を示す“１１９ｒｐｓ”、コード“１〜２９”はコードの数値が増える程、圧縮機の回転数が増加するように分割されている。
【００２７】
図５は、本発明による運転能力切替えテーブルを説明する説明図である。この運転能力切替えテーブルは、室内機１０の記憶部１５に予め記憶され、図３で説明した冷暖房能力が過剰と判定された時に利用されるものである。縦軸に利用者が設定した風量で分割された強風、弱風、微風の項目と、図４で説明した圧縮機の回転数を可変させるために用いるコードを記した圧縮機基準回転数コードの項目、横軸に部屋の広さ（畳数）に対応した運転能力を最大の６から最小の１までに切替える段階数の項目があり、縦軸の風量と横軸の段階数に応じた室内機１０のファンモーター回転数（単位：ｒｐｍ）と、横軸の段階数に応じて室外機２０へ指示する圧縮機基準回転数コードが設定されている。なお、運転開始時は従来の空気調和機と同様に設定された風量に応じた６段階（２０畳）の最大回転数をファンモーター駆動部１６へ指示し、圧縮機の回転数についても６段階（２０畳）の設定が示す（コード３０）の最大回転数を室外機２０へ指示する。
【００２８】
ここで、利用者が風量を強風に設定し、かつ、部屋の広さに対して冷暖房能力が過剰な状態で運転を開始した場合の運転能力の切替え動作を説明する。室内機１０の制御部１７は、風量が強風で段階数が６段階（２０畳）に対応する１３００ｒｐｍをファンモーター駆動部１６へ指示すると共に、通信部１２を介して室外機２０へ圧縮機の最大回転数を示す（コード３０）を指示する。次に、圧縮機が減速した時に冷暖房能力が過剰と判定した場合、同じ風量で部屋の広さを１段階狭くした５段階（１８畳）に対応する１２５０ｒｐｍをファンモーター駆動部１６へ指示すると共に、通信部１２を介して室外機２０へ５段階（１８畳）に対応する圧縮機基準回転数コード“２６”を指示し圧縮機の回転数を減速させる。その後、運転開始から予め定めた所定時間内（例えば、１時間など）に圧縮機が一旦停止し再起動した場合、同じ風量で部屋の広さをさらに１段階狭くした４段階（１４畳）に対応する１２００ｒｐｍをファンモーター駆動部１６へ指示すると共に、通信部１２を介して室外機２０へ４段階（１４畳）に対応する圧縮機基準回転数コード“２１”を指示し圧縮機の回転数を減速させる。以降は同様に圧縮機の再起動毎に部屋の広さを１段階ずつ狭くした、ファンモーター回転数と圧縮機基準回転数コードを指示する。このように本発明は、冷暖房能力の過剰の判定結果に基づいて、圧縮機基準回転数コードとファンモーター回転数の切替えを行うため、部屋の広さが変化しても運転能力が過剰にならないように制御することができる。
【００２９】
なお、図５に示した圧縮機基準回転数コードは、本発明により運転能力を切替えたタイミングで最初に指示する圧縮機の回転数を示すコードであり、従来の空気調和機で行われている設定温度と室温変化に応じて圧縮機の回転数を可変させる制御、（例えば、４分間の運転で圧縮機の回転数を３コード分減速させるなど、）は従来どおりの制御が行われるものとする。また、図４の風量、段階数（畳数）の項目及び分割数、ファンモーター回転数の値及び圧縮機基準回転数コードの値についてはこれに限定するものではない。
【００３０】
図６は、本発明による減速時間別運転能力実績データを説明する説明図である。この減速時間別運転能力実績データは、運転停止時に室内機１０の記憶部１５に記憶されるデータであり、縦軸に左側から計時した運転開始から圧縮機が減速を開始するまでの時間が１分単位で分割された項目と、次にその計時した圧縮機の減速時間毎に「設定温度と室温の温度差帯」が分割された項目と、横軸に運転開始時の外気温を「外気温帯」に分割した項目があり、運転停止時に停止前の運転中に計時または検知した、圧縮機の減速時間と、設定温度と室温の温度差帯と、外気温帯のこれら縦横軸の項目に対応する運転データの項目が記憶される。
【００３１】
次に、図６の運転データの項目を説明する。運転データの項目には、縦横軸の項目に対応する条件で運転が行われた回数を示す「運転回数」と、同条件で運転が行われた時に最後に指示した圧縮機基準回転数コードを運転停止毎に加算した「累計回転数コード」と、「累計回転数コード」を「運転回数」で除算した「平均回転数コード」の項目がある。なお、空白となっている運転データ項目は、その項目に対応する運転が過去に行われていないことを示している。
【００３２】
ここで、計時した圧縮機の減速時間が１０分で、運転開始時の設定温度が２０℃、室温が１２℃、外気温が４℃、最後に指示した圧縮機基準回転数コードが“１３”の運転データを記憶する場合には、縦軸は「計時した圧縮機の減速時間」が１０分の「設定温度と室温の温度差帯」が６℃〜１０℃、横軸は「外気温帯」が１℃〜５℃に対応する運転データ項目を確認する。この運転データ項目に過去の運転データが無い場合（つまり空白が記憶されている）には、「運転回数」に“１”、「累計回転数コード」に“１３”、「平均回転数コード」に“１３．０”を入力する。また、運転データ項目に過去の運転データが有る場合（つまり数値が記憶されている）には、点線の囲いで示した過去の運転データ項目に対し、「運転回数」に‘１’を、「累計回転数コード」に‘１３’を加算して、「運転回数」“２”、「累計回転数コード」“２６”を更新し、その後「平均回転数コード」に
、「累計回転数コード」“２６”を「運転回数」“２”で除算した “１３．０”を更新する。
【００３３】
このように、運転停止毎に蓄積された減速時間別運転能力実績データは、運転開始から圧縮機が減速を開始するまでの減速時間を計時した時に参照され、その時の運転条件である「計時した圧縮機の減速時間」、「設定温度と室温の温度差帯」、「外気温帯」に対応する運転データが存在する場合に、図３の圧縮機の基準減速時間テーブルと、図５の運転能力切替えテーブルに代えて利用し、運転データの「平均回転数コード」を基にこれを四捨五入した値を圧縮機基準回転数コードとして制御する。従って、この減速時間別運転能力実績データを蓄積していない場合と比較して、より素早く部屋の広さに応じて運転能力が過剰にならないように制御することができる。なお、図６は暖房運転時の減速時間別運転能力実績データであるが、同様に冷房運転時の減速時間別運転能力実績データも室内機１０の記憶部１５に記憶される。また、図４で説明したファンモーターの回転数についてもこのように実績データを蓄積して活用するようにしても良い。なお、減速時間別運転能力実績データの利用条件は、対応する運転データの有無に限らず、対応する運転回数が所定回数以上などの条件としても良い。
【００３４】
図７は、本発明による運転能力切替え処理の一例を示すフローチャートである。図７の処理が開始される前提条件として、リモコンから運転開始の操作が行われたものとする。また、本発明の運転能力切替えを除く処理に関しては、従来の空気調和機と同様に適宜処理されるものとして図示及び説明を省略する。なお、フローチャートに記載のＳＴはステップを表し、これに続く数字はステップ番号を表している。
【００３５】
制御部１７は、計時部１４に運転開始から圧縮機の減速が開始されるまでの時間の計時を指示する（ＳＴ１）。室外機２０の圧縮機駆動部２３へ圧縮機の回転数を減速させたか否かを確認する（ＳＴ２）。圧縮機の回転数を減速させた場合（ＳＴ２−Ｙｅｓ）、計時部１４での計時を停止し、計時した減速時間に対応する図６で説明した減速時間別運転能力実績データ内の運転データが存在するか否かを確認する（ＳＴ３）減速時間別運転能力実績データ内に運転データが存在しない場合（ＳＴ３−Ｎｏ）、計時した減速時間が記憶部１５の基準減速時間テーブルの室温と外気温と設定温度の運転条件に対応する基準減速時間よりも短いか否かを確認する（ＳＴ４）。計時した減速時間が基準減速時間よりも短くない場合（ＳＴ４−Ｎｏ）、室外機２０の圧縮機駆動部２３へ圧縮機を再起動させたか否かを確認する（ＳＴ５）。
【００３６】
制御部１７はＳＴ５において、圧縮機を再起動させた場合（ＳＴ５−Ｙｅｓ）、記憶部１５の運転能力切替えテーブルから部屋の広さの段階数を１段階狭くしたファンモーター回転数と圧縮機基準回転数コードを参照し、そのファンモーター回転数をファンモーター駆動部１６へ指示すると共に通信部１２を介して室外機２０へ参照した圧縮機基準回転数コードへと切替える信号を送信する（ＳＴ６）。室外機２０の圧縮機駆動部２３へ圧縮機を停止させたか否かを確認する（ＳＴ７）。室外機２０の圧縮機駆動部２３へ圧縮機を停止させた場合（ＳＴ７−Ｙｅｓ）、リモコン通信部１１を介して運転停止の信号を受信したか否かを確認する（ＳＴ８）。運転停止の信号を受信した場合（ＳＴ８−Ｙｅｓ）、記憶部１５の減速時間別運転能力実績データに今回の運転データを記憶し、通信部１２を介して室外機２０へ運転停止を指示し、室内機１０の運転を停止する（ＳＴ９）。そして処理を終了する。
【００３７】
一方、制御部１７はＳＴ３において、減速時間別運転能力実績データ内に運転データが存在する場合（ＳＴ３−Ｙｅｓ）、運転データの平均回転数コードを四捨五入した値を圧縮機基準回転数コードとして、通信部１２を介して室外機２０へ圧縮機の回転数を切替える信号を送信する（ＳＴ１１）。そして、ＳＴ５へジャンプする。また、ＳＴ４において、計時した減速時間が基準減速時間よりも短い場合（ＳＴ４−Ｙｅｓ）、記憶部１５の運転能力切替えテーブルから部屋の広さの段階数を１段階狭くしたファンモーター回転数と圧縮機基準回転数コードを参照し、そのファンモーター回転数をファンモーター駆動部１６へ指示すると共に通信部１２を介して室外機２０へ参照した圧縮機基準回転数コードへと切替える信号を送信する（ＳＴ１２）。そして、ＳＴ５へジャンプする。
【００３８】
制御部１７はＳＴ８において、運転停止の信号を受信していない場合（ＳＴ８−Ｎｏ）
、ＳＴ５へ戻る。また、ＳＴ２において、圧縮機の回転数を減速させていない場合（ＳＴ２−Ｎｏ）と、ＳＴ５において、圧縮機を再起動させていない場合（ＳＴ５−Ｎｏ）と、ＳＴ７において、圧縮機を停止させていない場合（ＳＴ７−Ｎｏ）にも、リモコン通信部１１を介して運転停止の信号を受信したか否かを確認する（ＳＴ１０）、（ＳＴ１３）、（ＳＴ１４）。そして、運転停止の信号を受信した場合（ＳＴ１０−Ｙｅｓ）、（ＳＴ１３−Ｙｅｓ）、（ＳＴ１４−Ｙｅｓ）、ＳＴ９へジャンプする。一方、運転停止の信号を受信していない場合、（ＳＴ１０−Ｎｏ）ではＳＴ２へ、（ＳＴ１３−Ｎｏ）ではＳＴ５へ、（ＳＴ１４−Ｎｏ）ではＳＴ７へ戻る。
【００３９】
なお、図７では、室内機１０の制御部１７で運転能力切替え処理を行った場合について説明したが、室内機１０の制御部１７に代えて室外機２０の室外機制御部２５で運転能力切替え処理を行っても良い。
【符号の説明】
【００４０】
１  空気調和機
１０  室内機
１１  リモコン通信部
１２  通信部
１３  室温検出部
１４  計時部
１５  記憶部
１６  ファンモーター駆動部
１７  制御部
２０  室外機
２１  外気温検出部
２２  室外機通信部
２３  圧縮機駆動部
２４  室外機記憶部
２５  室外機制御部
３０  通信線
【図１】
2014196860.tif 000003
【図２】
2014196860.tif 000004
【図３】
2014196860.tif 000005
【図４】
2014196860.tif 000006
【図５】
2014196860.tif 000007
【図６】
2014196860.tif 000008
【図７】
2014196860.tif 000009